(57)【要約】【課題】  カメラの電源ＯＦＦ時に、撮影に関する情報を確実に保存すること。【解決手段】  撮影レンズを介して被写体像を撮像する撮像部と、撮影レンズを沈胴させるか、または、撮影レンズを保護部材で覆うことにより収納する収納部と、撮影に関する情報を一時的に記憶する一時記憶部と、撮影に関する情報を保存する保存部と、ユーザによる電源ＯＦＦ操作を受け付ける受付部と、受付部により電源ＯＦＦ操作を受け付けると、収納部を制御して撮影レンズの収納を開始するとともに、撮影レンズの収納開始前、または、収納開始と略同時に、一時記憶部に記憶された撮影に関する情報を読み出し、読み出した撮影に関する情報の保存部への保存を開始する制御部とを備える。なお、カメラの電源状態を視覚的にユーザに報知する報知部をさらに備え、制御部は、収納部による撮影レンズの収納と、保存部への撮影に関する情報の保存とが終了すると、報知部を制御して、カメラの電源状態をユーザに報知しても良い。【選択図】      図１
2008053823.tif 000002
【特許請求の範囲】
【請求項１】
撮影レンズを介して被写体像を撮像する撮像部と、
前記撮影レンズを沈胴させるか、または、前記撮影レンズを保護部材で覆うことにより収納する収納部と、
撮影に関する情報を一時的に記憶する一時記憶部と、
前記撮影に関する情報を保存する保存部と、
ユーザによる電源ＯＦＦ操作を受け付ける受付部と、
前記受付部により前記電源ＯＦＦ操作を受け付けると、前記収納部を制御して前記撮影レンズの収納を開始するとともに、前記撮影レンズの収納開始前、または、収納開始と略同時に、前記一時記憶部に記憶された前記撮影に関する情報を読み出し、読み出した前記撮影に関する情報の前記保存部への保存を開始する制御部と
を備えたことを特徴とするカメラ。
【請求項２】
請求項１に記載のカメラにおいて、
前記カメラの電源状態を視覚的にユーザに報知する報知部をさらに備え、
前記制御部は、前記収納部による前記撮影レンズの収納と、前記保存部への前記撮影に関する情報の保存とが終了すると、前記報知部を制御して、前記カメラの電源状態を前記ユーザに報知する
ことを特徴とするカメラ。                                                                               
【発明の詳細な説明】
【技術分野】
【０００１】
本発明は、撮影レンズを介して被写体像を撮像するカメラに関するものであり、特に、カメラの電源ＯＦＦ時の動作に関するものである。
【背景技術】
【０００２】
一般的に、カメラにおいては、電源ＯＦＦ時に撮影に関する情報を不揮発性のメモリに保存している。そして、電源が再びＯＮされたときにこれらの情報を読み出して使用している。
【発明の開示】
【発明が解決しようとする課題】
【０００３】
しかし、沈胴式の撮影レンズなど、電源ＯＦＦ時に撮影レンズを収納するカメラにおいては、撮影レンズの収納が終了した時点で、撮影に関する情報の不揮発性のメモリへの保存が終了していない場合がある。このような場合には、ユーザが、撮影レンズの収納をもって電源が完全にＯＦＦされたものと認識し、電池交換などの動作を行ってしまうおそれがある。撮影に関する情報の不揮発性のメモリへの保存が終了していない時点で、電池交換などの動作が行われると、撮影に関する情報のデータが破壊される場合がある。
【０００４】
本発明のカメラは、カメラの電源ＯＦＦ時に、撮影に関する情報を確実に保存することを目的とする。
【課題を解決するための手段】
【０００５】
本発明のカメラは、撮影レンズを介して被写体像を撮像する撮像部と、前記撮影レンズを沈胴させるか、または、前記撮影レンズを保護部材で覆うことにより収納する収納部と、撮影に関する情報を一時的に記憶する一時記憶部と、前記撮影に関する情報を保存する保存部と、ユーザによる電源ＯＦＦ操作を受け付ける受付部と、前記受付部により前記電源ＯＦＦ操作を受け付けると、前記収納部を制御して前記撮影レンズの収納を開始するとともに、前記撮影レンズの収納開始前、または、収納開始と略同時に、前記一時記憶部に記憶された前記撮影に関する情報を読み出し、読み出した前記撮影に関する情報の前記保存部への保存を開始する制御部とを備える。
【０００６】
なお、好ましくは、前記カメラの電源状態を視覚的にユーザに報知する報知部をさらに備え、前記制御部は、前記収納部による前記撮影レンズの収納と、前記保存部への前記撮影に関する情報の保存とが終了すると、前記報知部を制御して、前記カメラの電源状態を前記ユーザに報知しても良い。
【発明の効果】
【０００７】
本発明のカメラによれば、カメラの電源ＯＦＦ時に、撮影に関する情報を確実に保存することができる。
【発明を実施するための最良の形態】
【０００８】
以下、本発明の実施形態について説明する。本実施形態では、本発明のカメラの一例として、電子カメラを用いて説明する。
本実施形態の電子カメラ１は、図１Ａの前面外観図に示すように、前面に撮影レンズ２およびレンズ鏡筒３を備える。また、電子カメラ１は、図１Ｂの上面外観図に示すように、上面に電源ボタン４、レリーズボタン５、電源ＬＥＤ（Ｌｉｇｈｔ  Ｅｍｉｔｔｉｎｇ  Ｄｉｏｄｅ）６を備える。また、電子カメラ１は、図１Ｃの背面外観図に示すように、背面に表示部７、十字ボタン８を備える。電子カメラ１は、この他に、ズームボタン、決定ボタン、メニューボタン、モード選択ボタン、再生ボタン、ゴミ箱ボタンなどを備えても良い。本実施形態では、本発明にかかわる部材のみについて説明する。
【０００９】
レンズ鏡筒３は、電子カメラ１の電源ＯＮ時には、図１Ｂに示すように伸長され、電源ＯＦＦ時には、図１Ｂの矢印ａの方向に沈胴することにより収納される。また、表示部４は、ＴＦＴ（Ｔｈｉｎ  Ｆｉｌｍ  Ｔｒａｎｓｉｓｏｒ）液晶パネルなどの表示素子を備える。また、電源ＬＥＤ６は、電子カメラ１の電源状態に応じて、電源ＯＮ状態において点灯し、電源ＯＦＦ状態において消灯する。
【００１０】
図２は、電子カメラ１の機能ブロック図である。電子カメラ１は、図２に示すように、撮影レンズ２を介して被写体像を撮像するＣＣＤ（Ｃｈａｒｇｅ  Ｃｏｕｐｌｅｄ  Ｄｅｖｉｃｅ）９を含む撮像部１０、レンズ鏡筒３を沈胴または伸長するレンズ鏡筒駆動部１１、電源ボタン４、レリーズボタン５、十字ボタン８などを含む操作部１２、表示部７の表示を制御する表示処理部１３、撮像部１０により生成された画像データなどを記録する画像記録部１４、撮影に関する情報（以下、「撮影情報」と称する。詳細は後述する）を一時的に記憶するＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１５、撮影情報を保存するフラッシュメモリ１６、各部を制御する制御部１７の各部を備える。
【００１１】
図２において、撮像部１０、レンズ鏡筒駆動部１１、表示処理部１３、画像記録部１４、ＳＤＲＡＭ１５、フラッシュメモリ１６は、制御部１７と相互に接続される。また、制御部１７の出力は、電源ＬＥＤ６にも接続される。また、操作部１２の状態は制御部１７により検知され、表示処理部１３の出力は表示部７に接続される。
なお、上述した撮影情報には、例えば、次の各情報が含まれる。
・撮影モード、発光モード、再生モードなど、電子カメラ１においてユーザにより指定された情報
・日付情報
・画像記録部１４への記録に関する情報（ファイル名など）
電子カメラ１において、これらの撮影情報は、ＳＤＲＡＭ１５に一時的に記憶、更新される。そして、これらの情報は、電源ＯＦＦ時にフラッシュメモリ１６に保存され、電源が再びＯＮされたときにフラッシュメモリ１６から読み出して使用される。
【００１２】
以上説明した構成の電子カメラ１の電源ＯＦＦ時の制御部１７の動作について、図３に示すフローチャートを用いて説明する。なお、電子カメラ１の電源ＯＦＦは、電源ＯＮ状態において、ユーザにより電源ボタン４が押圧されることにより行われる。
ステップＳ１において、制御部１７は、表示制御部１３を制御し、表示部７の表示をＯＦＦする。
【００１３】
ステップＳ２において、制御部１７は、ＣＣＤ９の電源をＯＦＦする。
ステップＳ３において、制御部１７は、ＳＤＲＡＭ１５から最新の撮影情報を読み出し、フラッシュメモリ１６への書き込みを開始する。
ステップＳ４において、制御部１７は、レンズ鏡筒駆動部１１を制御し、レンズ鏡筒３の収納（沈胴）を開始する。
【００１４】
ステップＳ５において、制御部１７は、ステップＳ３で開始したフラッシュメモリ１６への書き込みが終了したか否かを判定する。制御部１７は、フラッシュメモリ１６への書き込みが終了したと判定すると、ステップＳ６に進む。
ステップＳ６において、制御部１７は、ステップＳ４で開始したレンズ鏡筒３の収納が終了したか否かを判定する。制御部１７は、レンズ鏡筒３の収納が終了したと判定すると、ステップＳ７に進む。
【００１５】
すなわち、撮影情報のフラッシュメモリ１６への書き込みと、レンズ鏡筒３の収納とが終了すると、制御部１７は、ステップＳ７に進む。
ステップＳ７において、制御部１７は、電源ＬＥＤ６を消灯する。
以上説明したように、本実施形態によれば、撮影レンズを介して被写体像を撮像する撮像部と、撮影レンズを沈胴させることにより収納する収納部と、撮影に関する情報を一時的に記憶する一時記憶部と、撮影に関する情報を保存する保存部と、ユーザによる電源ＯＦＦ操作を受け付ける受付部とを備え、受付部により電源ＯＦＦ操作を受け付けると、収納部を制御して撮影レンズの収納を開始するとともに、撮影レンズの収納開始前、または、収納開始と略同時に、一時記憶部に記憶された撮影に関する情報を読み出し、読み出した撮影に関する情報の保存部への保存を開始する。したがって、カメラの電源ＯＦＦ時に、撮影に関する情報を確実に保存することができる。特に、本実施形態によれば、ユーザによる電源ＯＦＦ操作に対するレスポンスを落とさずに、撮影に関する情報を確実に保存することができる。
【００１６】
また、本実施形態によれば、カメラの電源状態を視覚的にユーザに報知する報知部をさらに備え、収納部による撮影レンズの収納と、保存部への撮影に関する情報の保存とが終了すると、報知部を制御して、カメラの電源状態をユーザに報知する。したがって、撮影に関する情報の保存が終了して電源が完全にＯＦＦされ、電池交換などの動作を行っても良いタイミングを的確にユーザに報知することができる。
【００１７】
なお、本実施形態では、撮影レンズを沈胴させることにより収納する構成のカメラを例に挙げて説明したが、撮影レンズを保護部材で覆うことにより収納する構成のカメラにも本発明を同様に適用することができる。例えば、図４に示す電子カメラ１００のように、内部にズームレンズ１０１を備え、レンズ鏡筒を沈胴する代わりに、スライド式の保護部材１０２により撮影レンズ１０３を収納する構成のカメラにも、本発明を同様に適用することができる。保護部材１０２は、電源ＯＮ時には、図４Ａに示すように開放され、電源ＯＦＦ時には、図４Ａの矢印ｂの方向にスライドすることにより、図４Ｂに示すように撮影レンズ１０３を収納することができる。
【００１８】
また、本実施形態では、電源ＬＥＤ６により電子カメラ１の電源状態をユーザに報知する例を示したが、表示部７を用いて報知する構成としても良いし、専用の表示部などを備える構成としても良い。また、電子カメラ１にスピーカを備え、音声情報を用いて、電源状態をユーザに報知する構成としても良い。
また、本実施形態で、撮影情報として挙げた各情報以外の情報を撮影情報としてフラッシュメモリ１６に保存しても良い。
【００１９】
また、本実施形態では、本発明のカメラの一例として、電子カメラ１を例に挙げて説明したが、レンズ鏡筒部分を交換可能な電子カメラにも本発明を同様に適用できる。また、銀塩カメラにも本発明を同様に適用できる。
【図面の簡単な説明】
【００２０】
【図１】本実施形態の電子カメラ１の外観図である。
【図２】本実施形態の電子カメラ１の機能ブロック図である。
【図３】本実施形態の電子カメラ１の電源ＯＦＦ時の動作を示すフローチャートである。
【図４】本実施形態の別の電子カメラの外観図である。
【符号の説明】
【００２１】
１・１００…電子カメラ，２・１０３…撮影レンズ，３…レンズ鏡筒，４…電源ボタン，６…電源ＬＥＤ，７…表示部，９…ＣＣＤ，１０…撮像部，１１…レンズ鏡筒駆動部，１２…操作部，１５…ＳＤＲＡＭ，１６…フラッシュメモリ，１７…制御部，１０２…保護部材                                                                             
【図１】
2008053823.tif 000003
【図２】
2008053823.tif 000004
【図３】
2008053823.tif 000005
【図４】
2008053823.tif 000006